(57)【特許請求の範囲】
【請求項１】
熱源・加熱方式の相違する種々のキッチン加熱機器の比較チェック装置であって、
壁１１沿いに、カウンターテーブル１２が水平に配置され、該カウンターテーブル１２には、複数種類のガス加熱機器系コンロ台９と、同じく複数種類の電気加熱機器系コンロ台１０とを並列して組み込み配置し、
複数の各コンロ台の上部に、燃料消費量表示部１３を設け、該燃料消費量表示部１３には、各コンロ台の熱源による燃料消費量をリアルタイムで表示し、
また、各コンロ台上には鍋１５が載置され、該鍋１５内に蓄えられた水には測温端子１４ａが挿入され、該測温端子１４ａは電子温度計１４の端子にリード線３０を介して連結されており、加熱による鍋１５内の水温の上昇がリアルタイムで測定可能な構成としたことを特徴とするキッチン加熱機器比較チェック装置。
【発明の詳細な説明】
【０００１】
【発明の属する技術分野】
本発明は、住宅を新築する予定のユーザー、或いは現在使用しているキッチンを補修又は改造する予定のユーザーが、設計目標に最も合致した加熱機器を決定するのに必要な情報を提供すべく構成したキッチン加熱機器比較チェック装置に関する。
【０００２】
【従来の技術】
従来より、ユーザーは、キッチンでの調理に必要な加熱機器に関する情報は、加熱機器の販売店や一般の住宅展示場に出向いて実物やカタログの記載をチェックしたり、既に出来上がった他の家を見学するなどして入手し、適正な加熱機器について検討していた。
【０００３】
【発明が解決しようとする課題】
しかしながら、これらの方法には次に挙げるような問題があり、各種加熱機器に関する情報が十分に提供されていたとは言い難かった。
まず、従来の加熱機器の販売店はもちろん住宅展示場においても、加熱機器関連の情報については、ユーザーが自ら比較検討して取得できる形での提供がなされていない、という問題があった。
【０００４】
キッチンの設備機器の中では、水と並んで火を使う設備は欠くことのできない重要なものであり、しかも、本格的に料理を楽しみたい、或いは逆に、手軽さと安全性を大切にしたいなどといった多様なユーザーニーズを満足するには、加熱機器の選択に一層の慎重を期する必要がある。
それにもかかわらず、従来の加熱機器の販売店や一般の住宅展示場においては、熱源・加熱方式・用途別に整理した形での専用コーナー等は設けられておらず、せいぜい機種別に分けるだけで、雑然と展示しているに過ぎなかった。
そのため、ユーザーがカタログ等を収集して仕様を調査し、その特徴を比較検討するしかなかったのである。
【０００５】
特に、ランニングコストに対するユーザーの関心は極めて高く、世界的にもエネルギー問題が注視される中、燃料消費関連のデータを熱源・加熱方式・用途別に比較検討できる場を、ユーザーは強く求めていた。
また、このように熱源・加熱方式・用途別に特徴を比較することは、ユーザーばかりでなく、メーカーの販売員等にとっても、より具体的な知識や助言をユーザー側に提供することができるため、拡販を進めていく上では欠かせないものであった。
【０００６】
次に、従来の台所機器の販売店や住宅展示場では、加熱機器の外観しか見ることができず、内部構造に関する情報については、カタログ等で若干触れられる程度に過ぎない、という問題があった。
【０００７】
特に、電気加熱機器については先端技術を駆使して製造されたものが多く、販売員にとっても内部構造はブラックボックスに近いものであったため、ユーザーに販売員の説明だけでは納得して貰えないことが度々であった。
一方、ユーザー側も、電気加熱機器は取扱いは難しいものであるとの先入観から、最初から購入を敬遠してしまう傾向にあり、そのため、電気熱源タイプの優れた長所を理解することがなく、結果的には、ユーザーの加熱機器に対する選択肢の幅を狭めることとなっていたのである。
【０００８】
本発明は、前記の点に鑑み、各加熱機器の特徴や内部構造に関する基礎知識を容易に取得可能なキッチン加熱機器比較チェック装置、を提供することを目的とする。
【０００９】
【課題を解決するための手段】
本発明の解決しようとする課題は以上の如くであり、次に該課題を解決するための手段を説明する。
熱源・加熱方式の相違する種々のキッチン加熱機器の比較チェック装置であって、壁１１沿いに、カウンターテーブル１２が水平に配置され、該カウンターテーブル１２には、複数種類のガス加熱機器系コンロ台９と、同じく複数種類の電気加熱機器系コンロ台１０とを並列して組み込み配置し、複数の各コンロ台の上部に、燃料消費量表示部１３を設け、該燃料消費量表示部１３には、各コンロ台の熱源による燃料消費量をリアルタイムで表示し、また、各コンロ台上には鍋１５が載置され、該鍋１５内に蓄えられた水には測温端子１４ａが挿入され、該測温端子１４ａは電子温度計１４の端子にリード線３０を介して連結されており、加熱による鍋１５内の水温の上昇がリアルタイムで測定可能な構成としたものである。
【００１０】
【発明の実施の形態】
次に本発明の実施の形態を説明する。
図１は本発明のキッチン加熱機器比較チャック装置全体の配置を示す平面図、
図２はガス加熱機器系コンロ台の全体斜視図、
図３は複合オーブンタイプビルトインガスコンロ台の上部の斜視図である。
【００１１】
図４は電気加熱機器系コンロ台の全体斜視図、
図５は電磁誘導加熱電気コンロ台の平面図、
図６はハロゲンヒーター電気コンロ台の平面図、
図７はラジエントヒーター電気コンロ台の平面図、
図８はコンロ・レンジフード一体型システムの斜視図である。
【００１２】
まず、本発明に係わるキッチン加熱機器比較チェック装置の全体構成を図１、図２、図４、図８により説明する。
本実施例では、キッチン壁１１沿いに一枚のカウンターテーブル１２が水平に固設され、該カウンターテーブル１２には、キッチン壁１１の一端から順に４種のガス加熱機器系コンロ台９と３種の電気加熱機器系コンロ台１０が組み込まれている。
【００１３】
各加熱機器後方のキッチン壁１１の壁面上には、燃料消費量表示部１３が取り付けられており、熱源による燃料消費量の違いがリアルタイムで表示される構成となっている。なお、ここで「燃料」とは、天然ガスのように、燃焼させて熱源とする材料のみではなく、熱エネルギーに変換可能な電気エネルギー等も含む。
【００１４】
前記ガス加熱機器系コンロ台９は、標準ビルトインガスコンロ台１、複合オーブンタイプビルトインガスコンロ台２、フラットタイプガスコンロ台３、およびハイカロリーガスコンロ台４から成り、各コンロ台毎に燃料消費量表示部１３が設けられ、該燃料消費量表示部１３には各コンロ台の総燃料消費量が表示される。
【００１５】
また、各コンロ台上には鍋１５が載置され、該鍋１５内に蓄えられた水には測温端子１４ａが挿入され、該測温端子１４ａは前記カウンターテーブル１２上に置かれた電子温度計１４の端子にリード線３０を介して連結されており、加熱による鍋１５内の水温の上昇がリアルタイムで測定可能な構成となっている。
【００１６】
次に、前記電気加熱機器系コンロ台１０は、電磁誘導加熱電気コンロ台５、ハロゲンヒーター電気コンロ台６、およびラジエントヒーター電気コンロ台７とから成る。これらのコンロ台にも、前記燃料消費量表示部１３が設けられて各コンロ台の総燃料消費量が表示される。
なお、前記ガス加熱機器系コンロ台９の場合と同様に、前記カウンターテーブル１２上には電子温度計１４が置かれ、該電子温度計１４からは、測温端子１４ａが鍋１５内の水に浸漬され、加熱による水温上昇が測定可能な構成となっている。
【００１７】
更に、電気加熱機器系コンロ台１０については、各コンロ台の上面は平坦なトッププレート１６で覆われ、該トッププレート１６の一部若しくは全部が透明部材１６ａで構成されており、内部の発熱回路が外部から透視可能となっている。
【００１８】
なお、上記の各加熱機器の後方のキッチン壁１１の上方には、各種のレンジフード１ａ乃至７ａが設置され、前記電気加熱機器系コンロ台１０の隣には、コンロ台２９にレンジフード２８を組み込んだコンロ・レンジフード一体型システム８が設置されており、種々のレンジフードに関する特徴も比較可能な構成となっている。
【００１９】
次に、以上のような全体構成から成るキッチン加熱機器比較チェック装置において、ガスを熱源とするガス加熱機器に関し、図２、図３により説明する。
ガス加熱機器系コンロ台９は、いずれもその手前に２口の本加熱用のバーナー１７ａ、１７ｂを有し、該バーナー１７ａ、１７ｂの間でその後方には、１口の保温用のバーナー１７ｃを有する。各バーナーのガス消費量は、バーナー１７ａ、バーナー１７ｂ、バーナー１７ｃの順に小さく、ユーザーは用途に適した火力を選択することができる。
【００２０】
このようなバーナーを備えたガス加熱機器系コンロ台９において、標準ビルトインガスコンロ台１では、各バーナーの火力は通常レベルであり、また、カウンターテーブル１２の直下には、魚等を焼くためのグリル１８が設けられ、さらに該グリル１８の下にはガス高速オーブン１９が組み込まれている。
複合オーブンタイプビルトインガスコンロ台２では、前記標準ビルトインガスコンロ台１とは異なり、電子レンジ機能を有するガス高速オーブン２０がグリル１８の下に配置されている。フラットタイプガスコンロ台３では、オーブンは組み込まれておらず、コンパクト化が図られている。ハイカロリーガスコンロ台４は、４種のガス加熱機器系コンロ台９の中で最も火力の大きなバーナーを具備している。また、グリル１８、電子レンジ機能付きガス高速オーブン２０ともコンロ台に一体に組み込まれ、構造的に強固な仕様となっている。
【００２１】
すなわち、本実施例では、標準タイプのコンロ台１と、用途の異なる各種タイプのコンロ台２乃至４とを列設しており、そのため、各ユーザーは、ガス加熱機器の特徴を容易に比較検討することができる。
例えば、家庭でもプロ並みの中華料理の仕上がりが欲しいというユーザーは、前記ハイカロリーガスコンロ台４を選択し、更に、それを採用する場合の注意点等を他のコンロ台と比較して確認することができるのである。
【００２２】
また、本実施例では、各コンロ台の上方に燃料消費量表示部１３を設け、該燃料消費量表示部１３には、各コンロ台の総合燃料消費量を表示しているため、ランニングコストに対する関心の高い最近のユーザーに対しても、各種ガス加熱機器の特徴を参酌しつつ自分のニーズにあった加熱機器を選択して貰うことができる。
なお、燃料消費量表示部１３には、本実施例のような燃料消費量の積算値以外に、単位時間あたりの燃料消費量を示す燃料消費速度、或いはこの消費速度を熱量換算した発熱速度、或いは燃料単価を掛けて求めた燃料費などのいずれでもよく、燃料消費の指標を示す値であれば特に問題はない。
【００２３】
更に、前述のように、前記カウンターテーブル１２上には電子温度計１４が置かれ、該電子温度計１４によって加熱機器による被加熱材の温度上昇を測定可能としているため、前記燃料消費量表示部１３に表示される燃料消費量と比較することにより、加熱効率に関する情報もユーザーに提供することができるのである。
【００２４】
次に、電気を熱源とする電気加熱機器系コンロ台１０に関し、図４乃至図７により説明する。
電気加熱機器系コンロ台１０のうちの電磁誘導加熱電気コンロ台５は、手前に２口の電磁誘導加熱ヒーター２３ａ、２３ｂを有し、該電磁誘導加熱ヒーター２３ａ、２３ｂの間でその後方には、１口のラジエントヒーター２３ｃを有する。トッププレート１６の左右略中央から左半分は透明部材１６ａ、右半分は不透明な通常部材１６ｂから成り、前記電磁誘導加熱ヒーター２３ｂとラジエントヒーター２３ｃの左半分を外から透視可能となっており、その構造や手前の電子制御部２４等の取り付け状況等が確認できるようになっている。
なお、電磁誘導加熱ヒーターは、磁力線の働きでトッププレート１６ではなく、鍋１５そのものを発熱させるため、安全面に優れ、燃焼による空気の汚れもないが、使用可能な鍋の材質が強磁性体に制限されるため、アルミなどは使用できない。
【００２５】
ハロゲンヒーター電気コンロ台６は、手前に２口の方形状のハロゲンヒーター２５ａ、２５ｂを有し、該ハロゲンヒーター２５ａ、２５ｂの間でその後方には、１口のニクロムヒーター２５ｃを有する。前記電磁誘導加熱電気コンロ台５の場合と同様に、トッププレート１６の左右略中央から左半分は透明部材１６ａ、右半分は不透明な通常部材１６ｂから成り、前記ハロゲンヒーター２５ｂとニクロムヒーター２５ｃの左半分が外から透視可能となっている。
なお、ハロゲンヒーターは、ハロゲンランプから出る赤外線の熱で加熱するため、電磁誘導加熱ヒーターと同様に、燃焼による空気の汚れはないが、ガス加熱と同じく裸火に対する注意を要する。
【００２６】
ラジエントヒーター電気コンロ台７は、２口のラジエントヒーターヒーター２７ａ、２７ｂを有し、トッププレート１６の全面が透明部材１６ａから成り、内部構造が全て外から透視可能となっている。なお、ラジエントヒーターは、ハロゲンヒーターと同じく赤外線の熱で加熱するため燃焼による空気の汚れはないが、裸火に対する注意を要する。
【００２７】
すなわち、本実施例では、同じ電気を熱源とするが、加熱方式は全く異なるコンロ台５乃至７を列設しており、それにより、各ユーザーは、前述のガス加熱機器と同様に、各電気加熱機器の特徴を容易に把握することができ、更には、ブラックボックスであった内部構造を外から透視することにより、機能、構造等に関する基礎知識に対する理解を深めることができる。なお、本実施例では、電気加熱機器系コンロ台１０のみを内部構造透視可能としたが、前記ガス加熱機器系コンロ台９についても透過構造を適用してよい。
【００２８】
また、前述のガス加熱機器系コンロ台９と同様に、コンロ台の上方には燃料消費量表示部１３を付設し、該燃料消費量表示部１３には各コンロ台の総燃料消費量を表示しているため、ユーザーには、各種電気加熱機器の特徴とランニングコストの両面から、自分のニーズにあった加熱機器を選択して貰うことができるのである。
また、電子温度計１４による被加熱材の温度測定についても、同様に可能であるため、前記燃料消費量表示部１３に表示された燃料消費量と比較することにより、加熱効率に関する情報もユーザーに提供することができる。
【００２９】
更には、これらの電気加熱機器での燃料消費量、被加熱材温度を、前述のガス加熱機器の測定結果と比較することにより、熱源の種類による火力の違いに関する情報もユーザーに提供することが可能となる。
【００３０】
【発明の効果】
本発明は以上の如く構成したので、次のような効果を奏するのである。
熱源・加熱方式の相違する種々のキッチン加熱機器の比較チェック装置であって、壁１１沿いに、カウンターテーブル１２が水平に配置され、該カウンターテーブル１２には、複数種類のガス加熱機器系コンロ台９と、同じく複数種類の電気加熱機器系コンロ台１０とを並列して組み込み配置し、複数の各コンロ台の上部に、燃料消費量表示部１３を設け、該燃料消費量表示部１３には、各コンロ台の熱源による燃料消費量をリアルタイムで表示し、また、各コンロ台上には鍋１５が載置され、該鍋１５内に蓄えられた水には測温端子１４ａが挿入され、該測温端子１４ａは電子温度計１４の端子にリード線３０を介して連結されており、加熱による鍋１５内の水温の上昇がリアルタイムで測定可能な構成としたので、ユーザーは、各加熱機器の特徴を、機能、構造、安全衛生及び燃料消費等の多くの観点から、正確に把握することができ、設計目標に最も合致した加熱機器の仕様を詳細に決定することができる。
【００３１】
また、前記加熱機器による被加熱材の温度上昇を測定可能な温度計を設けたので、ユーザーは、燃料消費ばかりでなく熱効率の観点からみた特徴も実験で正確に把握することができる。
【図面の簡単な説明】
【図１】  本発明のキッチン加熱機器比較チャック装置全体の配置を示す平面図である。
【図２】  ガス加熱機器系コンロ台の全体斜視図である。
【図３】  複合オーブンタイプビルトインガスコンロ台の上部の斜視図である。
【図４】  電気加熱機器系コンロ台の全体斜視図である。
【図５】  電磁誘導加熱電気コンロ台の平面図である。
【図６】  ハロゲンヒーター電気コンロ台の平面図である。
【図７】  ラジエントヒーター電気コンロ台の平面図である。
【図８】  コンロ・レンジフード一体型システムの斜視図である。
【符号の説明】
１、２、３、４、５、６、７  コンロ台
１４  温度計
【図１】
0003672736.tif 000002
【図２】
0003672736.tif 000003
【図３】
0003672736.tif 000004
【図４】
0003672736.tif 000005
【図５】
0003672736.tif 000006
【図６】
0003672736.tif 000007
【図７】
0003672736.tif 000008
【図８】
0003672736.tif 000009